(57)【要約】【課題】電子機器等に取り付けられるストラップベルトにおいて、多様な使用形態を採ることができ、より使い易いストラップベルトを提供する。【解決手段】ベルト本体２の両端部を括って第１のループ１１を形成し、その端部に電子機器に取り付けられる第１のクランパ３を設けると共に、この第１のクランパ３と係合可能な第２のクランパ６をベルト本体２の中途部に設け、第１のクランパ３と第２のクランパ６を係合させることによりベルト本体２で第２のループが形成される構成とする。通常の状態では、ベルト本体２の第１のループ１１に手を通した状態で電子機器等を手で持って使用し、第１のクランパ３と第２のクランパ６とを係合させてベルト本体２で第２のループを形成した状態では、これに例えばズボンのベルトを通し、電子機器等をズボンのベルトから吊り下げるようにして携行することができるものとする。【選択図】  図１
2006061403.tif 000002
【特許請求の範囲】
【請求項１】
電子機器等に取り付けられるストラップベルトであって、
ベルト本体の両端部を括って第１のループを形成し、その端部に電子機器等に取り付けられる第１のクランパを設けると共に、この第１のクランパと係合可能な第２のクランパを上記ベルト本体の中途部に設け、上記第１のクランパと上記第２のクランパを係合させることにより上記ベルト本体で第２のループが形成される構成としたことを特徴とするストラップベルト。
【請求項２】
上記第１のクランパと第２のクランパの係合を保持するための抜け止め手段を設けたことを特徴とする請求項１に記載のストラップベルト。
【請求項３】
ストラップベルトを有する電子機器であって、
上記ストラップベルトは、ベルト本体の両端部を括って第１のループを形成し、その端部に電子機器に取り付けられる第１のクランパを設けると共に、この第１のクランパと係合可能な第２のクランパを上記ベルト本体の中途部に設け、上記第２のクランパを上記第１のクランパに係合させることにより上記ベルト本体で第２のループが形成される構成であることを特徴とするストラップベルトを有する電子機器。
【請求項４】
上記ストラップベルトに、上記第１のクランパと第２のクランパの係合を保持するための抜け止め手段を設けたことを特徴とする請求項３に記載のストラップベルトを有する電子機器。
【発明の詳細な説明】
【技術分野】
【０００１】
本発明は、電子機器等に取り付けられるストラップベルト及びこのストラップベルトを有する電子機器に関する。
【背景技術】
【０００２】
一般にデジタルスチルカメラや携帯電話機などの電子機器においては、携行する際に便利なように、ストラップベルトを取り付けるようにしている。
通常このストラップベルトは、下記特許文献に開示されるようにループ状に形成されており、これを電子機器に取り付けて、そのループに手を通した状態で電子機器を手で持って使用する形態が一般的である。
【特許文献１】特開２００２−１７２０１６号公報
【特許文献２】特開２００３−２８９９３２号公報
【発明の開示】
【発明が解決しようとする課題】
【０００３】
上記のように従来のストラップベルトは、これに手を通して使用する形態が一般的であるが、それ以外の使用形態については考慮されておらず、単一の使用形態に限定されていたため、さほど使い易いものとは言えなかった。
【０００４】
本発明は斯かる点に鑑みてなされたもので、電子機器等に取り付けられるストラップベルトにおいて、多様な使用形態を採ることができ、より使い易いストラップベルトを提供することを目的とする。
【課題を解決するための手段】
【０００５】
上記の目的を達成するために本発明は、電子機器等に取り付けられるストラップベルトにおいて、ベルト本体の両端部を括って第１のループを形成し、その端部に電子機器等に取り付けられる第１のクランパを設けると共に、この第１のクランパと係合可能な第２のクランパをベルト本体の中途部に設け、第１のクランパと第２のクランパを係合させることによりベルト本体で第２のループが形成される構成としたものである。
【０００６】
さらにこのストラップベルトにおいては、第１のクランパと第２のクランパの係合を保持するための抜け止め手段を設けるようにする。
【発明の効果】
【０００７】
上記の如く構成される本発明のストラップベルトは、通常の状態では、ベルト本体の第１のループに手を通した状態で電子機器等を手で持って使用し、第１のクランパと第２のクランパとを係合させてベルト本体で第２のループを形成した状態では、これに例えばズボンのベルトを通し、電子機器等をズボンのベルトから吊り下げるようにして携行することができる。このように本発明のストラップベルトは、多様な使用形態を採ることができるので、電子機器等の携行により便利なものとなる。
【０００８】
さらに本発明のストラップベルトは、第１のクランパと第２のクランパの係合を保持する抜け止め手段を設けたことにより、ストラップベルトによって電子機器等を例えばズボンのベルトから吊り下げるようにして携行する際には、第１のクランパと第２のクランパの係合が簡単には外れることがないので、安心して使用することができる。
【発明を実施するための最良の形態】
【０００９】
以下、図面を参照しながら本発明の実施例について詳細に説明する。
図１は、本発明によるストラップベルトの第１の実施例を示す。このストラップベルト１は、所定の長さ及び幅に形成されたベルト本体２の両端部を括ってループ(以下このループを第１のループという)１１を形成し、その端部に第１のクランパ３を設けると共に、この第１のクランパ３と係合可能な第２のクランパ６をベルト本体２の中途部に設けた構成となっている。
【００１０】
ベルト本体２は、皮革、合成皮革、布材などを材料とし、手を通して使用するのに適した長さ(３０ｃｍ程度)及び幅(１０ｍｍ程度)に形成されており、本例ではこのベルト本体２の両端部を第１のクランパ３で括って第１のループ１１を形成した構成としてある。
【００１１】
第１のクランパ３はプラスチック製の板片状部材であり、その先端部にはループ状の取り付け紐４を一体に有し、この取り付け紐４を電子機器等の取り付け部に結んでストラップベルト１を取り付けるものである。
【００１２】
第２のクランパ６は第１のクランパ３と同様のプラスチック製の板片状部材であり、その端部の通し穴７にベルト本体２を通してベルト本体２に対し移動可能に取り付けられている。ここで第２のクランパ６は、ベルト本体２上で第１のクランパ３から最も離れた位置を定位置とし、その付近で保持されるようになっている。即ちこの構成において第２のクランパ６の通し穴７はベルト本体２の幅とほぼ等しい幅の内寸に形成されており、このため第２のクランパ６とベルト本体２との間で移動抵抗が作用し、これによって第２のクランパ６が定位置から大きく移動することのない構成としてある。
【００１３】
第１のクランパ３と第２のクランパ６の係合構造は、第１のクランパ３に形成された係合穴５に第２のクランパ６に形成された係合突子８を挿入して係合するものである。ここで第１のクランパ３と第２のクランパ６の係合を保持する抜け止め手段として、係合突子８はその頭部８ａが大きく膨らんだ形状に形成されており、これが係合穴５に圧入される構造となっている。係合穴５は開口部より奥部が大きく広がって形成されており、係合突子８が係合された状態では係合穴５の開口部の内側に係合突子８の頭部８ａが引掛かる状態で抜け止めが図られる。
【００１４】
そして本発明によるストラップベルト１は、上記の如く第１のクランパ３と第２のクランパ６を係合させることにより、図２に示すようにベルト本体２で第２のループ１２が形成される。この第２のループ１２を形成する際には、前述した如くベルト本体２上で第２のクランパ６が第１のクランパ３から最も離れた定位置付近で保持されている構成により、スムーズに第２のループ１２を形成することができる。
【００１５】
このように構成されるストラップベルトの使用例を図３及び図４に示す。この使用例は、電子機器としてデジタルスチルカメラ２０に本発明によるストラップベルト１を取り付けて使用する場合を示すものである。
【００１６】
図３は通常の状態での使用例を示し、即ちこの場合は、ストラップベルト１の第１のループ１１に手を通した状態でデジタルスチルカメラ２０を手で持って使用する。
図４は図２のように第１のクランパ３と第２のクランパ６を係合させてストラップベルト１に第２のループ１２を形成した場合の使用例を示すもので、この場合は第２のループ１２にズボンのベルト２１を通し、デジタルスチルカメラ２０をズボンのベルト２１から吊り下げるようにして携行するようにしたものである。この場合、ベルト本体２をズボンのベルト２１に巻き付けるようにして第１のクランパ３と第２のクランパ６を係合させてストラップベルト１を装着し、このストラップベルト１によってズボンのベルト２１からデジタルスチルカメラ２０を吊り下げるようにして使用する。
【００１７】
そしてこのようにストラップベルト１によってデジタルスチルカメラ２０をズボンのベルト２１から吊り下げるようにして携行する際には、ストラップベルト１に係合突子８の頭部８ａと係合穴５の圧入による抜け止め手段を備えた構成により、第１のクランパ３と第２のクランパ６の係合が簡単には外れることがないので、安心して使用することができる。
【００１８】
このようにデジタルスチルカメラ２０をズボンのベルト２１から吊り下げるように使用する形態以外にも、本発明によるストラップベルトは、例えば鞄のショルダーベルトや取っ手の部分などからデジタルスチルカメラ等を吊り下げるようにして携行するなど、多彩な使用形態を採ることができる。
【００１９】
図５は、本発明によるストラップベルトの第２の実施例を示す。
この第２の実施例のストラップベルト１は、前述の第１の実施例と基本的構成は同じであり、第１のクランパ３と第２のクランパ６の係合を保持する抜け止め手段が異なる構成としたものである。
【００２０】
この第２の実施例のストラップベルトにおける第１のクランパ３と第２のクランパ６の係合構造は、第２のクランパ６に形成された左右一対の係合突子１３を、第１のクランパ３に形成された挿入穴１４に挿入して係合するものである。ここで第２のクランパ６の係合突子１３は、先端部が外側に折り返されて全体としてＷ型に形成されており、その先端外側部には抜け止め用の凸部１３ａが形成されている。これに対し第１のクランパ３の両側部には、挿入穴１４と連続する係合穴部１５が形成されており、図６に示す如く第１のクランパ３と第２のクランパ６を係合させた状態では、この係合穴部１５に係合突子１３の凸部１３ａが係合して抜け止めが図られる構造となっている。
【００２１】
なお、この第１のクランパ３と第２のクランパ６の抜け止めを解除する場合は、第１のクランパ３の両側部から表出される係合突子１３の凸部１３ａを押して係合穴部１５から外すことにより、簡単に第１のクランパ３から第２のクランパ６を抜き取ることができる。
【００２２】
図７は、本発明によるストラップベルトの第３の実施例を示す。
この第３の実施例のストラップベルト１では、第１のループ１１を形成するベルト本体２の一端部２ａに、第１のクランパとしてフック部材１７が連結リング１６を介して取り付けられており、さらにこのフック部材１７の先端部にループ状の取り付け紐４を有し、この取り付け紐４を電子機器等の取り付け部に結んでストラップベルト１を取り付けるものである。
【００２３】
フック部材１７に対応してベルト本体２には、第２のクランパとしてリング部材１９が装着されている。このリング部材１９はベルト本体２を通し、その内径がベルト本体２の幅とほぼ等しい寸法に形成されており、このためリング部材１９とベルト本体２との間で移動抵抗が作用し、リング部材１９はフック部材１７から最も離れた定位置から大きく移動することがない。
【００２４】
そしてこのリング部材１９をフック部材１７に係合させることによって、図８に示すようにベルト本体２で第２のループ１２が形成されるものであり、この第２のループ１２を形成する際には、前述した如くベルト本体２上でリング部材１９がフック部１７から最も離れた定位置付近で保持されている構成により、スムーズに第２のループ１２を形成することができる。
【００２５】
ここでフック部材１７には抜け止めレバー１８が設けられており、リング部材１９を係合させるときにはこの抜け止めレバー１８を内側へ押し込むように開いてリング部材１９を挿入し、挿入後はこの抜け止めレバー１８によって確実にリング部材１９の抜けが防止された状態に保持される。
【００２６】
図９は、本発明の第４の実施例を示す。
この例は、デジタルスチルカメラ２０を収納するソフトケース２２に本発明によるストラップベルト１を取り付けたものである。
【００２７】
ソフトケース２２は、その開口をファスナ２３ａ，２３ｂによって開閉してデジタルスチルカメラ２０を出し入れするようになっており、このソフトケース２２においてファスナ２３ａ，２３ｂを開閉操作するスライダ２４に、本発明によるストラップベルト１を取り付けてある。
【００２８】
ここで用いられるストラップベルト１は、前述した第３の実施例のストラップベルトから取り付け紐４を省略した構成のストラップベルトであり、即ちこの場合、ソフトケース２２のスライダ２４に装着された取り付けリング２５にフック部材１７を係合させてストラップベルト１を取り付けることができるので、取り付け紐が不要となるものである。
【００２９】
そして、この第４の実施例のようにソフトケース２２にデジタルスチルカメラ２０を収納した状態で、このソフトケース２２を例えば図４のようにズボンのベルト２１からストラップベルト１によって吊り下げた状態で使用することにより、デジタルスチルカメラ２０を安全に保護した状態で携行することができる。
【００３０】
以上、本発明の実施例について説明したが、本発明はこれらの実施例の構成に限定されるものではない。以上の実施例では、本発明によるストラップベルトをデジタルスチルカメラ及びこれを収納するソフトケースに取り付けて使用する例について記してあるが、本発明によるストラップベルトはこれに限定されることなく、その他にも例えば撮像装置を密閉して収容する防水ケース、携帯電話機、携帯情報端末装置(ＰＤＡ)、ポータブルゲーム装置などに取り付けて幅広く使用することができるものである。
【図面の簡単な説明】
【００３１】
【図１】本発明の第１の実施例を示すストラップベルトの斜視図である。
【図２】同、第１のクランパと第２のクランパを係合させて第２のループを形成した状態の斜視図である。
【図３】本発明によるストラップベルトの使用例の説明図で、ストラップベルトの第１のループに手を通した状態でデジタルスチルカメラを手で持って使用する場合を示す図である。
【図４】同、ストラップベルトの第２のループにズボンのベルトを通し、デジタルスチルカメラをズボンのベルトから吊り下げるようにして使用する場合を示す図である。
【図５】本発明の第２の実施例を示すストラップベルトの斜視図である。
【図６】同、第１のクランパと第２のクランパを係合させて第２のループを形成した状態の斜視図である。
【図７】本発明の第３の実施例を示すストラップベルトの斜視図である。
【図８】同、第１のクランパと第２のクランパを係合させて第２のループを形成した状態の斜視図である。
【図９】本発明の第４の実施例を示す斜視図である。
【符号の説明】
【００３２】
１…ストラップベルト、２…ベルト本体、３…第１のクランパ、４…取り付け紐、５…係合穴、６…第２のクランパ、８…係合突子、８ａ…頭部、１１…第１のループ、１２…第２のループ、１３…係合突子、１３ａ…凸部、１５…係合穴部、１７…フック部材(第１のクランパ)、１８…抜け止めレバー、１９…リング部材(第２のクランパ)、２０…デジタルスチルカメラ(電子機器)
【図１】
2006061403.tif 000003
【図２】
2006061403.tif 000004
【図３】
2006061403.tif 000005
【図４】
2006061403.tif 000006
【図５】
2006061403.tif 000007
【図６】
2006061403.tif 000008
【図７】
2006061403.tif 000009
【図８】
2006061403.tif 000010
【図９】
2006061403.tif 000011